(57)【要約】  物体を支持するための装置は、底部の上に配置された頂部を含む。頂部の一部分は底部に取り付けられている。頂部の、底部に取り付けられていない非取付部は、頂部の取付部のすぐ隣に位置付けられた１つ又は複数の切り込み線のような可撓性連結部を含む。頂部の非取付部は、底部の上に載置された状態から、底部に対して０度より大きい角度から１８０度未満の角度を有する選択的に可変な位置へと引き上げられる。底部は、頂部の非接続部に最も近い端部にストップを有してよい。支持される物体は装置の底部上に載置され、開位置にある頂部の非取付部にもたれかけさせられる。ストップによって、物体は底部から滑り落ちることなく保持される。このようにして、物体は支持される。装置はクレジットカードサイズであってよく、充電器且つ／又はデータ記憶装置を含んでよい。
2017515185.tif 000002
【特許請求の範囲】
【請求項１】
機器用のスタンドであって、
上側を有する略矩形の底部を備え、
前記底部は略矩形を有し前記底部の前記上側の短辺に沿って配置されたストッパを除いて略平坦であり、
前記ストッパは前記底部の前記短辺であって、前記ストッパが該短辺に沿って配置されている前記短辺の長さと略同一の長さを有し、
前記ストッパは該ストッパの長さよりも小さい幅を有し、
前記ストッパは少なくとも前記底部と頂部との組合せと同じ厚さを有し、
前記底部の前記上側の少なくとも一部において、前記頂部の折り曲げラインの下側にあり且つ該折り曲げラインと略平行な前記底部の前記上側上のラインと前記ストッパとの間に配置された第１の位置決め材料部を更に備え、
前記頂部は略矩形且つ平坦であり、前記ストッパによって覆われていない前記底部の前記上側と略同一の寸法であり、前記頂部が閉位置にある時には前記ストッパに覆われていない前記底部の前記上側の上に配置されており、
前記頂部は上側と下側を有し、
前記頂部の前記下側の少なくとも一部において、前記頂部の前記ストッパに隣接する短辺と、前記頂部の前記上側上の前記折り曲げラインの下側にあり且つ該折り曲げラインと略平行な前記頂部の前記下側上のラインとの間に配置された第２の位置決め材料部を更に備え、
前記頂部の前記下側は、前記頂部の前記ストッパに隣接する短辺とは反対側の短辺と、前記頂部の前記上側上の前記折り曲げラインの下側にあり且つ該折り曲げラインと略平行な前記頂部の前記下側上のラインとの間で前記底部の前記上側に結合されており、
前記折り曲げラインは、前記頂部の結合されていない部分の少なくとも一部が前記底部の上の閉位置から離れて開位置へと選択的に移動可能なように、且つ前記頂部が開位置にある時に前記頂部の結合されていない部分の前記一部が前記折り曲げラインに沿って曲がって前記頂部の前記下側上の第２の位置決め材料部の少なくとも一部を露出するように、前記頂部の２つの短辺の間に該２つの短辺と略平行に前記頂部の前記上側に切り込まれており、
前記機器が、当該機器の一部が前記底部の前記上側の第１の位置決め材料部の一部の上に配置され、該機器の他の部分が開位置にある前記頂部の結合されていない部分の前記下側上の第２の位置決め材料部の一部に立てかけられて、前記底部と開位置にある前記頂部の結合されていない部分との間に配置され得る機器用のスタンド。
【請求項２】
前記ストッパと前記底部とが一体に形成されている請求項１に記載のスタンド。
【請求項３】
前記頂部が閉位置にある時に、前記頂部と、前記ストッパを有する前記底部とが略平坦な矩形を形成する請求項１に記載のスタンド。
【請求項４】
前記頂部と、前記ストッパを有する前記底部とにより形成された前記略平坦な矩形はおよそクレジットカードサイズである請求項３に記載のスタンド。
【請求項５】
前記折り曲げラインに隣接しており且つ前記折り曲げラインと平行な第２折り曲げラインであって、前記頂部の前記部分が前記折り曲げラインと第２折り曲げラインに沿って曲がり開位置にある前記頂部の前記下側上の第２の位置決め材料部の少なくとも一部を露出するように、前記頂部の前記底部に結合された部分からより遠くに配置された第２折り曲げラインを更に備える請求項１に記載のスタンド。
【請求項６】
前記折り曲げラインに隣接しており且つ前記折り曲げラインと平行な第３折り曲げラインであって、前記頂部の前記部分が前記折り曲げライン、第２折り曲げライン、第３折り曲げラインに沿って曲がり開位置にある前記頂部の前記下側上の第２の位置決め材料部の少なくとも一部を露出するように、第２折り曲げラインよりも前記頂部の前記底部に結合された部分から遠くに配置された第３折り曲げラインを更に備える請求項５に記載のスタンド。
【請求項７】
前記折り曲げラインに隣接しており且つ前記折り曲げラインと平行な第４折り曲げラインであって、前記頂部の前記部分が前記折り曲げライン、第２折り曲げライン、第３折り曲げライン、第４折り曲げラインに沿って曲がり開位置にある前記頂部の前記下側上の第２の位置決め材料部の少なくとも一部を露出するように、第３折り曲げラインよりも前記頂部の前記底部に結合された部分から遠くに配置された第４折り曲げラインを更に備える請求項６に記載のスタンド。
【請求項８】
物体を支持する装置であって、
上側を有する底部と、
前記底部の上側の上に置かれた頂部と、
前記底部に結合された前記頂部の第１部分と、
前記頂部の第１部分に隣接し、前記底部に結合されていない前記頂部の第２部分とを備え、
前記頂部の第２部分は、前記頂部の第２部分を、前記底部の上側上から、前記底部に対して０°より大きく１８０°より小さい角度を有する選択的に可変な位置へと持ち上げ得るように、前記頂部の第１部分の直近に隣接する可撓性連結部を有し、
前記物体の一部は前記底部に配置され得て、前記底部からの滑り落ちが抑制され、前記物体の他の部分は前記頂部の第２部分が前記選択的に可変な位置にある時に前記頂部の第２部分に立てかけられ得る装置。
【請求項９】
前記底部は、前記頂部の第２部分に最も近い端部上に、前記物体の一部に接触して前記物体の前記底部からの滑り落ちを防ぐように構成されたストップを備える請求項８に記載の装置。
【請求項１０】
前記可撓性連結部は、前記頂部の結合されていない第２部分の上側の、結合された第１部分の近くに切り込みラインを備える請求項８に記載の装置。
【請求項１１】
前記切り込みラインは、前記頂部の結合されていない第２部分が、前記頂部の結合されていない第２部分と前記頂部の結合された第１部分の接続部の近傍において曲がることを可能とする請求項１０に記載の装置。
【請求項１２】
前記可撓性連結部は、前記頂部の結合されていない第２部分の上側に、前記切り込みラインに隣接し且つ略平行に設けられた第２切り込みラインを備える請求項１１に記載の装置。
【請求項１３】
前記底部は前記物体が充電可能である場合に前記物体にエネルギーを充たすためのプラグを有する充電器を備える請求項８に記載の装置。
【請求項１４】
データ記憶装置を更に備える請求項８に記載の装置。
【請求項１５】
前記データ記憶装置は、汎用シリアルバス（ＵＳＢ）フラッシュドライブを備える請求項１４に記載の装置。
【請求項１６】
ワイヤレス機器を直立位置に保持する装置であって、
ベースであって、該ベースの頂部にフラップを有するベースを備え、
前記フラップの一部は前記ベースに結合されており、
前記フラップの前記ベースに結合されていない部分は、前記フラップの結合されていない部分が前記ベースに対して１８０°より小さく０°より大きい角度を形成するように前記フラップの結合されていない部分を前記フラップの結合された部分回りに回動させて、前記ベースから離れた開位置に選択的に移動可能であり、
前記フラップの前記ベースへの連結部の近傍において前記フラップに曲げをもたらすための、前記フラップの上部の前記フラップの前記ベースへの前記連結部の近傍に該連結部に平行に設けられた少なくとも１つの切り込みラインを更に備え、
前記ワイヤレス機器の一部を前記ベースに配置し、前記ワイヤレス機器の他部を開位置にある前記フラップに立てかけて前記ワイヤレス機器を直立位置に支持する装置。
【請求項１７】
前記フラップの前記ベースへの連結部において前記フラップにより大きな曲げをもたらすための、前記フラップの上部の、前記切り込みラインから概して引き離され、前記切り込みラインと平行に、且つ前記フラップの前記ベースへの連結部から前記切り込みラインよりも遠くに設けられた第２切り込みラインを更に備える請求項１６に記載の装置。
【請求項１８】
前記フラップの前記ベースへの連結部において前記フラップにより一層大きな曲げをもたらすための、前記フラップの上部の、第２切り込みラインから概して引き離され、第２切り込みラインと平行に、且つ前記フラップの前記ベースへの連結部から第２切り込みラインよりも遠くに設けられた第３切り込みラインを更に備える請求項１７に記載の装置。
【請求項１９】
前記フラップの前記ベースへの連結部において前記フラップになお一層大きな曲げをもたらすための、前記フラップの上部の、第３切り込みラインから概して引き離され、第３切り込みラインと平行に、且つ前記フラップの前記ベースへの連結部から第３切り込みラインよりも遠くに設けられた第４切り込みラインを更に備える請求項１８に記載の装置。
【発明の詳細な説明】
【技術分野】
【０００１】
関連出願の参照：本願は、２０１３年１２月２０日に米国特許商標庁に出願された『少なくとも１つの多様な物体を支持するための装置及び該装置の使用方法』と題する、本願よりも先に提出され、同時係属中であり、且つ本願と所有者が同一である米国仮出願第６１／９１９，６５６号に関し、その優先権の利益を主張するとともに、その開示のすべてをここに援用して本文の記載の一部とする。
【０００２】
本発明は、少なくとも１つの多様な機器を支持し得る装置及び方法に関し、より具体的には、単に一例として、携帯電話、ファブレット（スマートホンとタブレットの組み合わせ）及びタブレットなどの無線機器（ワイヤレスデバイス、ワイヤレス機器）を支持し得る装置及び方法に関する。本発明の装置及び方法は追加的な又は代替的な機能を提供し得る。
【背景技術】
【０００３】
通信技術は進化し続けている。現在では、ユーザはワイヤレス機器を持ち歩いて他者と通信したり、書籍もしくは雑誌を読んだり、インターネットからダウンロードしたビデオもしくは映画を見たり、スポーツ中継もしくはその他のイベントの中継を見たり、オンラインショッピングをしたり、且つ／又はその他の活動を行い得る。
【０００４】
ワイヤレス機器は、便利なことに、消費者が概ねどこへでも持ち運んで使用し得るような大きさに形成されている。例えば、母親は自分のワイヤレス機器を用いて、テレビ電話を介して自分の子どもの担任とのＰＴＡ会議に「出席」し得る。別の例として、会社員は、昼食をとりながら、自分のワイヤレス機器でスポーツの優勝決定戦（プレイオフ）を見ることも出来る。さらに別の例として、自分のワイヤレス機器で教科書を読むかもしれない学生が挙げられる。
【０００５】
現在のワイヤレス機器によってもたらされている利便性としては、ワイヤレス機器が比較的小型で軽量にし得ること、そして手で、ポケットもしくはハンドバックに入れて、又はケースに入れて容易に持ち運び得ることがある。しかし依然として、この利便性にも短所が存在し得る。ワイヤレス機器を使って、自分の子どもの担任とフェイスタイム（登録商標）で通話する母親は例えば、通常、自分と担任の双方が互いに「向かい合う」ためにはワイヤレス機器を持つか（何かに対して）立て掛けなければならない。昼食を食べながら、ワイヤレス機器でプレイオフを見ている会社員もまた、試合を見ながら同時に食事をするためにワイヤレス機器を持つか立てかけなければならない。ワイヤレス機器で教科書を読む学生もまた、教科書を読みながらノートを取るために、又はそうでなければ教科書を利用して学習するために、ワイヤレス機器を持つか立てかけなければならないだろう。
【０００６】
ビデオ会議に出る、食事をしながらプレイオフを見る、（教科書を）読みノートを取って勉強するなどの活動を行いながらワイヤレス機器を持つことはやっかいであり且つ／又は不便となる可能性がある。自分の子どもの担任と「対面する」ようにワイヤレス機器を持つ母親の手は疲れてくるかもしれない。会社員は、プレイオフを見ながら、なおかつ社会的に許容されるような方法で昼食を食べられるように片手でワイヤレス機器を持つことをやっかいであると思うかもしれない。学生は教科書を読むためにワイヤレス機器を持つ事が出来るが、ノートを取るためにワイヤレス機器を手から離して置く必要に迫られるか、又は、ワイヤレス機器を持つことと書くこととを同時に行ううえで、ぎこちない姿勢になるという事態に直面するかもしれない。
【０００７】
ワイヤレス機器を持たなくてもよいように、ユーザはワイヤレス機器を物体に立て掛けるかもしれない。しかしながら、ワイヤレス機器を物体に立て掛けることは、そのような物体が利用可能でありそしてその目的に好適である場合に初めて可能となる。昼食を食べている会社員は、もしも会社員がカップを所持していればワイヤレス機器を飲料のカップに立て掛けるかもしれないが、カップが丁度良い大きさでないかもしれないし、立て掛ける角度も好適ではないかもしれないし、或いはワイヤレス機器にとって危険であるかもしれない（例えば、濡れているなど）。そして、ユーザが自分の飲料を少し飲みたいと思う度に、ユーザはワイヤレス機器の位置を（立て掛けた状態から）解除し、ワイヤレス機器を手で持ち、飲料を飲み、次いでワイヤレス機器を再び（立て掛けるように）位置付けなければならないので不便である。
【０００８】
ユーザは、自分のワイヤレス機器を物体に立て掛けてそのディスプレイ画面を見る代わりに、ワイヤレス機器を立て掛けるために特別に設計されたスタンドを使用し得る。単に立て掛けるのと同様に、従来のスタンドを使うことにも不利な点がある。第１の不利な点は、ワイヤレス機器は通常、ワイヤレス機器を立て掛けさせてディスプレイ画面を便利に見るためのスタンドを一体的に備えていないことである。ユーザは、典型的には、ワイヤレス機器のアクセサリとして、立て掛け用のスタンドを入手しなければならない。換言すれば、ユーザはスタンドを購入するために更なる出費を強いられる。もしも、ワイヤレス機器を販売した同じ企業からスタンドが入手出来ない場合には、ユーザは別の販売者に赴かねばならないであろうし、そのような別の販売者の所在地はワイヤレス機器の販売者とは別の場所に有るかもしれない。
【０００９】
さらに、場合によっては、ユーザは「一般的な」スタンドを使用するのではなく、自分のワイヤレス機器にフィットするように特別に設計されたスタンドを買う必要に迫られるかもしれない。この場合でもまた、もしもワイヤレス機器の販売者から特別に設計されたスタンドが購入可能ではないとしたら、ユーザは自分のワイヤレス機器に特化されたスタンドを販売している誰かを探す必要に迫られるかも知れず、スタンドを購入するためにあちこちを回らなければならないかもしれない。
【００１０】
従来のスタンドを使用することについての別の問題は、ユーザは自分のワイヤレス機器と一緒に所有しているスタンドを持って行くことを忘れる可能性があるということである。ワイヤレス機器と共にスタンドを持って行くことを忘れないようにするのは難しいかもしれず、充電などのためにスタンドがワイヤレス機器から切り離されている場合は特にそうである。
【００１１】
従来のスタンドを使うことについての不利な点は、スタンドが重かったり、変わった形状をしていたり、且つ／又はサイズが大きい場合に、そのようなワイヤレス機器用のスタンドを「持って行く」ことが難しいであろうということである。会社員にとって、昼食のためにオフィスから出る際にワイヤレス機器をシャツやズボンのポケットに滑り込ませることは簡単かもしれないが、大きくて重たいスタンドをワイヤレス機器と共に、同じポケットに収めるのは難しく思うかもしれない。スタンドをワイヤレス機器とは別々に運ぶ必要があるかもしれず、それにより、スタンドを紛失する、スタンドを運ぶのに好適な何かを持っている必要がある、ユーザがスタンドと一緒にワイヤレス機器を使うことを所望した時にスタンドを容易に見つけられるようにする、そしてユーザがワイヤレス機器を使用し終えた時にスタンドをその入れ物（キャリア、運搬手段）に戻すなどの課題が発生する。
【００１２】
従来のワイヤレス機器用スタンドを使うことについての別の不利な点として、スタンドの使用法が複雑かもしれないということがある。従来のスタンドは、ワイヤレス機器を満足な方法でディスプレイするために、回収され、展開され、又は解かれる必要があるかもしれず、ユーザはスタンドの複数の部品を配置する必要があるかもしれない。もしも従来のスタンドが複雑な構成を有する場合には、ユーザが従来のスタンドを構成するのに時間がかかるかもしれない。会社員はプレイオフを見て休憩を楽しむ代わりに、プレイオフの一部を見逃してしまうか、又は少なくとも自分の昼休みの時間の一部をスタンドを構成するために費やしてしまうかもしれない。
【００１３】
したがって、ワイヤレス機器のユーザの少なくとも一部によって、ワイヤレス機器のスクリーンを見ている時に各自のワイヤレス機器を持つ必要性からユーザを解放する、従来技術よりも便利な装置且つ／又は方法が必要とされている。
【発明の概要】
【００１４】
本発明は、概して、少なくとも１つの多様な物体を支持且つ／又は展示するための装置、並びに該装置を使用するための方法に関する。本発明は、クレジットカードサイズの装置として具現化されてよく、該クレジットカートサイズの装置は、その閉位置において、財布もしくはハンドバックのクレジットカードスロット又はその他の小さい空間に入れられて便利に運搬されてよい。本発明はまた、クレジットカードサイズよりも小さい又は大きいサイズを有して具体化されてよい。
【００１５】
より具体的には、本発明はその頂部（上部）の一部分として、装置の底部（下部）から離れて部分的に持ち上げられるカバーを有する装置を含んでよい。物体が、持ち上げられたカバーと底部との間で支持／展示されてよい。支持／展示された物体は、該装置によって上述のように支持／展示され得るいかなる物体であってよい。特に、該装置は、携帯電話もしくはスマートホン、電子書籍リーダー、ファブレット（携帯電話とタブレットコンピュータの組み合わせ）、タブレットもしくはタブレットコンピュータなどのワイヤレス機器を支持／展示するために使用されてよい。
【００１６】
本発明の実施形態は、有利なことには、ユーザが物体を手に持つ必要性無しに、スマートホンでビデオを見たり、電子ブックを読んだり、又はタブレットコンピュータを熟視することを可能にする。ユーザの手は、食事したり、書いたり、編物をしたり、且つ／又はその他の活動を行うために自由に使用することができる。さらに、ユーザは、プレイヤーをその手で持つ必要性無しに、ビデオ会議且つ／又はフェイスタイム（登録商標）などのビデオ電話を行えるように、本発明の実施形態を据え付けても良い。本発明を使用することによって、ユーザの両手はノートを取ったり、手でジェスチュアをするために最適に自由とされる。
【００１７】
本発明の別の有利な点は、クレジットカードサイズの実施形態などのいくつかの実施形態は、ユーザによってポケット、ハンドバック、又はキャリアに入れてワイヤレス機器と共に容易に運ばれ得る点にあり、ユーザの財布のクレジットカードスロットに入れて運ぶことさえ可能であろう点にある。
【００１８】
本発明はまた、アイフォン（登録商標）（ｉＰｈｏｎｅ（登録商標））、アイパッド（登録商標）（ｉＰａｄ（登録商標））又はキンドル（Ｋｉｎｄｌｅ）などのワイヤレス機器の手を使わない支持／展示が、機会があればいつでも素早く且つ楽々とセットアップされ得るような、セットアップの容易さという利点ももたらす。さらに、本発明はユーザ側の簡易な操作によって容易に取り外され得る。いったん閉じられると、本発明は厚みが殆ど無く平坦な形状になるため、ユーザによって小さな空間内に容易に保管及び運搬され、使用に備える。
【００１９】
本発明の実施形態は、他の機器との共同作業（複合作業）であってよい。例えば、本発明のある実施形態は、従業員がネックストラップに付けて持ち歩くもしくは着用するような、又は大会や展示会の参加者が展示会でのイベントに入場を許可されるための、パスカードと組み合わされるか又は該パスカードの一部分とされてよい。本発明のある実施形態は、クレジットカード、又はデビットカード、会員カード等のその他のカード等と組み合わされるかその一部分とされてよい。本発明のその他の実施形態は、フラッシュドライブなどの記憶装置、又は電子デバイス用の電池又は充電器などの便利な特徴を含んでよい。
【００２０】
本発明の実施形態は、情報、広告、装飾、且つ／又はその他を付されてよい。ある実施形態は、異なる複数の色、異なる複数のテクスチャ（質感、材質感）等の要素を有してよい。ある実施形態において、ユーザは装置を自分の好みに合わせて変更するため、装飾するため、情報を保持する等の目的で、装置の頂部（上部）且つ／又は底部（下部）にマークを付してよい。装置に付されるマークは、いくつかの実施形態において、消去可能又は除去可能にし得る。
【００２１】
本明細書における本発明の記載は、本発明の例示的な実施形態を提供するものである。たとえば、上述されたように、本発明はクレジットカードサイズの装置において具現化されてよい。しかしながら、本発明は、上述されたもの以外に、数多くの異なった形態において具現化されてよくそして様々な方法で用いられてよい。したがって、本発明は本文に記載された実施形態に限定されるものとして解釈されるべきではない。むしろ、これらの実施形態は本開示が充分且つ完全であるように、そして当業者に対して本発明の範囲を十分に伝えるように提供されるものである。
【００２２】
より具体的には、本発明のある実施形態は機器用のスタンドとして記載されてよい。該スタンドは、上側を有する略矩形の底部を備える。前記底部は略矩形を有し前記底部の前記上側の短辺に沿って配置されたストッパを除いて略平坦である。前記ストッパは前記底部の前記短辺であって、前記ストッパが該短辺に沿って配置されている前記短辺の長さと略同一の長さを有する。前記ストッパは該ストッパの長さよりも小さい幅を有する。前記ストッパは少なくとも前記底部と頂部との組合せと同じ厚さを有する。前記ストッパと前記底部は一体的に形成されてよい。
【００２３】
また、上記段落において最初に記載された実施形態において、前記スタンドの前記底部の前記上側の少なくとも一部において、前記頂部の折り曲げラインの下側にあり且つ該折り曲げラインと略平行な前記底部の前記上側上のラインと前記ストッパとの間に第１の位置決め材料部が配置されている。前記スタンドの前記頂部も略矩形且つ平坦であり、前記ストッパによって覆われていない前記底部の前記上側と略同一の寸法であり、前記頂部が閉位置にある時には前記ストッパに覆われていない前記底部の前記上側の上に配置されている。前記頂部は上側と下側を有している。この装置において、前記頂部及び、前記ストッパを備えた前記底部は、前記頂部が閉位置にあるときに、略平坦な矩形を形成してよく、該矩形はクレジットカードのサイズを有してよい。さらに、この実施形態について、前記頂部の前記下側の少なくとも一部において、前記頂部の前記ストッパに隣接する短辺と、前記頂部の前記上側上の前記折り曲げラインの下側にあり且つ該折り曲げラインと略平行な前記頂部の前記下側上のラインとの間に第２の位置決め材料部が配置されている。第１、第２位置決め材料部は、同じ材質であってよく、全体的に又は部分的に異なる材質であってよい。
【００２４】
前の２段落で記載された実施形態において、前記頂部の前記下側は、前記頂部の前記ストッパに隣接する短辺とは反対側の短辺と、前記頂部の前記上側上の前記折り曲げラインの下側にあり且つ該折り曲げラインと略平行な前記頂部の前記下側上のラインとの間で前記底部の前記上側に結合されている。前記折り曲げラインは、前記頂部の結合されていない部分の少なくとも一部が前記底部の上の閉位置から離れて開位置へと選択的に移動可能なように、且つ前記頂部が開位置にある時に前記頂部の結合されていない部分の前記一部が前記折り曲げラインに沿って曲がって前記頂部の前記下側上の第２の位置決め材料部の少なくとも一部を露出するように、前記頂部の２つの短辺の間に該２つの短辺と略平行に前記頂部の前記上側に切り込まれている。代替的な実施形態は、前記装置の前記頂部において、一つ以上の追加の折り曲げラインであって、前記オリジナルの折り曲げラインから幾分離間しており且つ前記オリジナルの折り曲げラインと平行である一つ以上の追加の折り曲げラインを含んでも良い。
【００２５】
前の３段落で記載された例示的な機器は、前記機器が、当該機器の一部が前記底部の前記上側の第１の位置決め材料部の一部の上に配置され、該機器の他の部分が開位置にある前記頂部の結合されていない部分の前記下側上の第２の位置決め材料部の一部に立てかけられて、前記底部と開位置にある前記頂部の結合されていない部分との間に配置されてよい。
【００２６】
本発明の別の実施形態は、物体を支持するための装置として記載されてよい。物体を支持する以外に、この装置はユニバーサルシリアルバス（ＵＳＢ）フラッシュドライブなどのデータ記憶装置を含んでよい。具体的には、この装置は上側を有する底部と、該装置が閉じているときに前記底部の前記上側の上に置かれる頂部とを有する。前記底部は、前記物体が充電可能である場合に、前記物体にエネルギーを充電するためのプラグ（且つ／又はその他の要素）を備えた充電器を含んでよい。
【００２７】
先の段落で最初に記載された装置において、前記頂部の第１部分が前記底部に接続されており、前記頂部の第２部分が前記頂部の第１部分に隣接しており、且つ、前記底部には接続されていない。前記頂部の第２部分は、前記頂部の第２部分を、前記底部の上側上から、前記底部に対して０°より大きく１８０°より小さい角度を有する選択的に可変な位置へと持ち上げ得るように、前記頂部の第１部分の直近に隣接する可撓性連結部を有する。前記底部は、前記頂部の第２部分に最も近い端部において、ストップ（止め部）を有する。この装置を使用するために、前記物体の一部は前記底部に配置され得て、ストップにより前記底部からの滑り落ちが抑制され、前記物体の他の部分は前記頂部の第２部分が前記底部に対して０°より大きく１８０°より小さい角度を有する位置にある時に前記頂部の第２部分に立てかけられ得る。
【００２８】
前の２段落で記載された装置において、前記可撓性連結部は、前記頂部の結合されていない前記第２部分の上側の、結合された第１部分の近くの切り込み線であってよい。その他の実施形態は、一つ以上の追加の切り込み線（又は前記切り込み線と同じ機能を達成する特徴）を含んでよい。前記刻み込み線は、前記頂部の結合されていない前記第２部分を、第２部分と前記頂部の結合された第１部分の接続部の近傍において曲がることを可能にし得る。別の実施形態において、前記可撓性連結部は、前記頂部の結合されていない第２部分の上側に、前記切り込みラインに隣接し且つ略平行に設けられた第２切り込みラインを含んでも良い。
【００２９】
更に別の例示的な実施形態は、より具体的には、ワイヤレス機器を直立位置に保持するための装置として記載されてよい。この装置は、ベースであって、該ベースの上に一部が該ベースに結合されたフラップを有するベースを備える。前記フラップの前記ベースに結合されていない部分は、前記フラップの結合されていない部分が前記ベースに対して１８０°より小さく０°より大きい角度を形成するように前記フラップの結合されていない部分を前記フラップの結合された部分回りに回動させて、前記ベースから離れた開位置に選択的に移動可能である。この例示的な装置は、前記フラップの前記ベースへの連結部の近傍において前記フラップに曲げをもたらすための、前記フラップの上部の前記フラップの前記ベースへの前記連結部の近傍に該連結部に平行に設けられた少なくとも１つの切り込みラインを含む。代替的な実施形態は、一つ以上の追加の切り込み線又は類似の機能を達成する特徴を含んでよい。この例示的な機器は、前記ワイヤレス機器の一部を前記ベースに配置し、前記ワイヤレス機器の他部を開位置にある前記フラップに立てかけて前記ワイヤレス機器を直立位置に支持して使用され得る。
【００３０】
本発明のその他の特徴及び有利な点が、以下の詳細な記載を精査すること並びに添付の図面及び請求項の範囲を参照することによって、より明確に理解及び認識されるであろう。
【図面の簡単な説明】
【００３１】
【図１】図１は、携帯電話などのワイヤレス機器と共に使用されている、本発明の例示的な実施形態の正面斜視図である。
【図２】図２は、タブレットなどのワイヤレス機器と共に使用されている、本発明の例示的な実施形態の背面斜視図である。
【図３】図３は、閉位置にある、本発明の例示的な実施形態の側面斜視図である。
【図４】図４は、開位置にある、本発明の例示的な実施形態の前面斜視図である。
【図５】図５Ａは、垂直位置にある携帯デバイスと共に使用されている、本発明の例示的な実施形態の前側面斜視図を含む写真である。図５Ｂは、水平位置にある携帯デバイスと共に使用されている、本発明の例示的な実施形態の正面図を含む写真である。
【図６】図６は、閉位置にある、本発明の例示的な実施形態を示す前面斜視図である。
【図７】図７Ａは、閉位置にある、本発明の例示的な実施形態を示す側面図である。図７Ｂは、閉位置にある、本発明の例示的な実施形態を示す側面図である。
【図８】図８は、バッジと共に使用されている、本発明の例示的な実施形態を示す。
【図９】図９Ａは、閉位置にあるとともに装飾を付された、本発明の例示的な実施形態を示す。図９Ｂは、閉位置にある、図９Ａの例示的な実施形態を示す。
【図１０】図１０は、本発明の例示的な実施形態を示す。
【発明を実施するための形態】
【００３２】
本発明が、例示的な実施形態及び代替的な実施形態を参照しつつ、並びに添付された図面を参照しつつ、本文において記載される。しかしながら本発明は、多様な異なった方法で具現化出来るとともに、様々な方法で実行することが出来、そして本文における記載且つ／又は図面における図示に限定されるように解釈されるべきではない。本文に記載され及び図示されている例示的な実施形態は、単に、本発明を実行するための方法の一部である。発明の構成要素（構成部品）且つ／又は作用は、それらの全部又は一部において、本文に記載されたものとは異なる順番で組み立てられ、接続され、構成され、且つ／又は行われてよい。
【００３３】
本発明は、一般的に、少なくとも１つの多様な物体を支持且つ／又は展示する（ディスプレイする）ための装置、並びに該装置の使用方法に関する。本発明によって支持され得る物体の種類、サイズ及び重量は、一般的に、使用されている本発明の特定の実施形態のサイズ及び力または支持力に依存し得る。本発明の実施例又は実施形態は本文において、クレジットカードサイズ（約３インチｘ約２インチｘ約１／８インチ（約７．６２ｃｍｘ約５．０８ｃｍｘ約０．３１８ｃｍ）として提供される。しかしながら、本発明はクレジットカードサイズの実施形態に限定されない。さらに、本文に記載される本発明の実施例は一般的に、丸みが付けられた隅部を備えた矩形の形状を有している。これについても、本発明は丸みが付けられた隅部を備えた矩形の形状に限定されるものではない。さらに、本発明の実施例は本文において、以下の材料の一つ又はそれより多くの材料で形成されるものとして提供される。材料の例として、例えば、硬質ポリ塩化ビニル（硬質ＰＶＣ又はＲＰＶＣ）、軟質ポリ塩化ビニル（軟質ＰＶＣ）、シリコーンゴム、ポリエステル（ＰＥＳ）、ポリエチレンテレフタレート（ＰＥＴ）、ポリエチレン（ＰＥ）、高密度ポリエチレン（ＨＤＰＥ）、ポリ塩化ビニリデン（ＰＶＤＣ）（サラン）、低密度ポリエチレン（ＬＤＰＥ）、ポリプロピレン（ＰＰ）、ポリスチレン（ＰＳ）、耐衝撃性ポリスチレン（ＨＩＰＳ）、ポリアミド類（ＰＡ）（ナイロン類）、アクリロニトリルブダジエンスチレン（ＡＢＳ）、ポリエチレン／アクリロニトリルブタジエンスチレン（ＰＥ／ＡＢＳ）、ポリカーボネート（ＰＣ）、ポリカーボネート／アクリロニトリルブダジエンスチレン（ＰＣ／ＡＢＳ）、ポリウレタン類（ＰＵ）、熱可塑性物質、鉄鋼、アルミニウム、ステンレススチール、その他の可塑性又は高分子材料、その他の金属材料、複合材料、エポキシ、樹脂、木材、又はその他の類似の材料が挙げられる。いくつかの実施形態において、本発明は、複数の層を形成するために複数の材料を用いて押し出し形成されてよい。
【００３４】
本発明の一実施形態は、本文においては「スタンド」、「装置」、「機器（デバイス）」、「ディスプレイカード」、「ドック」、「ホルダ」、「架台」、「ステーション」、「支持台（サポート）」且つ／又は「トレイ」と呼ばれるであろう。
【００３５】
本発明の例示的な実施形態によって展示且つ／又は支持され得る物体（対象物）は、一般的に平坦であるとともに、主に二次元でその厚みが他の寸法に対して比較的小さい物体を含む。そのような物体としては、例えば、とりわけ、アンドロイドフォン、美術作品、物品（アーティクル）、認可証書（免許）、賞状、野球カード、本、カメラ、カード、ケース、携帯電話、陶磁器、証明書、コースター、クラムシェル型パッケージ、コンパクトディスク、デジタルカメラ、デジタルディスプレイ機器、デジタルビデオディスク、デジタル写真ディスプレイ、卒業（修了）証書、ディスク、ディスプレイ、ディスプレイケース、電子スライドショーディスプレイ、電子書籍リーダー、フレーム、全地球位置把握システム（ＧＰＳシステム）機器、グリーティングカード、アイパッド（ｉＰａｄ）、アイフォン（ｉＰｈｏｎｅ）、アイポッド（登録商標）（ｉＰｏｄ（登録商標））、指示書、宝石ケース、免許証、雑誌、記念品、携帯電話、キンドル（Ｋｉｎｄｌｅ）、鏡、名札、ナビゲーション装置、新聞紙、ノキア製携帯電話、ヌークス（Ｎｏｏｋｓ）、光学ディスク、包装容器（パッケージング）、携帯用小型無線呼出し機（ポケットベル）、パーソナルデジタルアシスタント（個人用の携帯情報機器）、ファブレット、写真、絵画、写真フレーム、携帯型メディアプレーヤー（ＭＰプレイヤー）、絵はがき、レシピ、登録証明書、販売用パッケージング、サムスン製携帯電話、スマートホン、ステンドグラス、スーパーフォン、タブレット、タブレットコンピュータ、タブレットリーダー、タイル、ビデオカメラ、ビニルレコード盤、ワイヤレス装置、及び写真、タイルなどの美術品（芸術作品）等が挙げられる。そのような物体はまた、本文において、装置（デバイス）、又は類似の用語をもって呼ばれるであろう。
【００３６】
[図１]
図１は、本発明に従うスタンド１０の第１実施形態を示す。スタンド１０は携帯電話などのワイヤレス機器１２（シャドー部分として図示）を支持するものとして示されている。図１に示されているように、スタンド１０が携帯電話１２などの物体を支持するように構成されている場合、スタンド１０はその開位置にあると呼ばれる。スタンド１０の構成部品（構成要素）が互いに対して倒伏している（平たく横たえられている）場合、例えば、スタンド１０が物体を支持していない時などは、スタンド１０はその閉位置にあると呼ばれる。この例示的なスタンド１０が閉じている場合、スタンド１０はそのサイズ及び、略平坦で薄く、丸みが付けられた隅部を備えた略矩形の形状であるという点において、クレジットカードに類似している。図３に、閉位置にある、本発明の実施形態８０を示す。
【００３７】
本文における記載の便宜上、例示的な矩形のスタンド１０の長辺がその長さを定義し、短辺がその幅を定義する。同じ用語法が、本文におけるその他の矩形の物体について用いられる。
【００３８】
図１の例示的なスタンド１０は、概して同じサイズ、形状及び厚みを有する二つの要素によって形成されている。この二つの要素は、底部（下部）１４と頂部（上部）１６である。スタンド１０がその閉位置にあるときに、頂部１６の下面は、スタンド１０の底部１４の上面を覆い、上面に隣接し及び上面と接触している。例示的なスタンド１０は二つの要素１４及び１６を有しているものと言及されているが、これらの要素は一体的に作られてよい。
【００３９】
例示的なスタンド１０において、底部１４と頂部１６は同じ材料で形成されている。例えば、底部１４と頂部１６の各々は一つ以上の層を有して押し出し形成されてよい。いくつかの実施形態において、底部１４と頂部１６の各々は硬質ＰＶＣの一つ以上の層且つ／又は軟質ＰＶＣの一つ以上の層を有してよい。シリコンゴムなどの、その他の数多くの異なった材料が単独で又は組み合わされて用いられてよい。いくつかの実施形態において、底部１４と頂部１６は構造的統合性をもたらすために硬質ＰＶＣの層を有してよく、高摩擦外面をもたらすために軟質ＰＶＣの第２の層を有してよい。
【００４０】
上述されたように、例示的なスタンド１０はクレジットカードサイズである。スタンド１０は（全体またはその一部が）クレジットカードと同じ材料で作られてよい。クレジットカードはポリ塩化酢酸ビニル（ＰＶＣＡ）で形成されている。本発明のその他の実施形態は、入場許可カード（セキュリティパスカード）、スワイプ（接触式）パスカード、挿入式読み取り機用パスカード、又は近接リーダー用パスカード等のパスカードと同じサイズを有するように形成されてよく、そしてさらにはこのようなパスカードとして機能してもよい。これらの場合において、例示的な実施形態は（全体又はその一部が）パスカードと同じ材料で作られてよい。
【００４１】
別の実施形態として、例示的なスタンド１０は、ユーザによって書込みが可能な（且つ消去可能又は消去不可能な）材料で形成又は覆われてよい。例えば、ユーザは自分の名前をスタンド１０に書いてスタンド１０の所有者であることを明らかにしてよい。
【００４２】
例示的なスタンド１０の頂部１６は、図１に示されているように、二つの部分１８及び２０を有する。これら二つの部分１８及び２０は、支持部１８と取付部２０である。その用語が暗示するように、頂部１６の支持部１８はスタンド１０が展示目的で用いられる場合に展示される品物（アイテム）又は物体を支持する。また、その用語が暗示するように、頂部１６の取付部２０はスタンド１０の底部１４に取り付けられている。頂部１６の取付部２０はスタンド１０が開位置及び閉位置のいずれにあっても、スタンド１０の底部１４に取り付けられたままである。
【００４３】
頂部１６の二つの部分１８及び２０はヒンジ２２によって隔てられている。図１の実施形態において、ヒンジ２２は頂部１６の上面の材料における脆弱線又は高可撓性の線である（切り込み線（刻み込み線）又はスコア線、もしくはスコアとも呼ばれる）。ヒンジ２２、又はヒンジ２２とその周囲の領域は、可撓性及び耐荷重疲労性を有するように構成された材料を用いて作られてよい。例えば、ヒンジ２２（且つ／又はヒンジ２２の周囲の領域）は軟質ＰＶＣで作られてよい。脆弱線２２は、略矩形の頂部１６の短辺と略平行に延びる。換言すれば、ヒンジ２２は例示的なスタンド１０の幅と平行に延びる。ヒンジ２２はこの実施形態において、スタンド１０の長さに沿って約２／５の位置に、スタンド１０の長さと直角を成して位置付けられている。ヒンジ２２をこのように位置付ける事によって、頂部１６の支持部１８はヒンジ２２によって、頂部１６の取付部２０よりも小さいものとして画成される。この実施形態において、頂部１６の支持部１８は頂部１６の約４０％を占める。特に、頂部１６の支持部１８の長さは頂部１６の取付部２０の長さよりも小さい。支持部１８と取付部２０は同じ幅を有する。その他の実施形態においては上述の構成から変えてもよい。
【００４４】
頂部１６のヒンジ２２は、支持部１８が閉位置から、可変である開位置を通って、スタンド１０の最大開位置へと動くことを可能とする。支持部１８の閉位置は、上述したように、スタンド１０の底部１４と平行であり底部１４の上に配置されている。スタンド１０を開位置又は支持位置へと動かすために、ユーザは頂部１６の支持部１８をスタンド１０の底部１４から引き離すであろう。ユーザは、頂部１６の支持部１８を引き上げて底部１４から離すことができる任意のやり方で支持部１８を引っ張ってよい。例えば、ユーザは、短辺２６ａ、２６ｂのうち何れかにおいて支持部１８を掴んで引き上げてよい。別の例として、頂部１６の支持部１８の（底部１４に）取り付けられていない長辺２８を親指を使って引っ張り、底部１４から引き離してよい。
【００４５】
ユーザが支持部１８を底部１４から引き離すと、支持部１８はヒンジ２２を軸として又はヒンジ２２周りに回動する。ユーザが支持部１８を引っ張り続けると、支持部１８は、底部１４から離れる方向に弧を描いて移動を続ける。
【００４６】
より具体的には、ヒンジ２２における底部１４と支持部１８との間の内角度２４は、スタンド１０の可変開位置を定義するために用いられてよい。スタンド１０を開くために、頂部１６の支持部１８は、底部１４に対する角度が０度である支持部１８の閉位置から、０度よりも大きい位置へと移動される。スタンド１０の開位置の開度が十分となるにつれて支持部１８が底部１４に対する角度がより大きい位置を通って移動するように、支持部１８はヒンジ２２を軸として回動する。スタンド１０の最大開位置は、支持部１８がスタンド１０の底部１４に対して最大の角度２４を成して位置付けられたときに達成される。スタンド１０の最大開位置は、ヒンジ２２が許容する、スタンド１０の底部１４から離れて移動する支持部１８の移動の量によって定義され得る。上述されたように、角度２４はヒンジ２２における支持部１８と底部１４との間の内角度である。
【００４７】
図１は、スタンド１０の支持部１８と底部１４との間の角度が約９０度の開位置にある例示的なスタンド１０を示す。換言すれば、この図面において、頂部１６の支持部１８は例示的なスタンド１０の底部１４に対して概ね垂直である。その他の実施形態においては上述の構成から変えてもよい。
【００４８】
支持部１８がスタンド１０の底部１４から離れて引き上げられると、底部１４の部分３０が現れる。この実施形態１０において、現れた底部の部分３０は頂部１６の支持部１８と概ね同じサイズ及び形状を有する。
【００４９】
上述したように、図１はワイヤレス機器１２（シャドー部分として図示されている）を支持する例示的なスタンド１０を示す。詳細には、ワイヤレス機器１２は、スタンド１０の現れた底部の部分３０とスタンド１０の頂部１６の支持部１８との間に寄りかかるように位置付けられている。
【００５０】
より詳細には、ワイヤレス機器１２は略矩形の形状を有する。（例えば、小説を読む又は映画を見るために）もしもワイヤレス機器１２の向きが重要な場合には、ワイヤレス機器１２の辺のうち、二つの辺が本文においては頂辺及びそれに対向する（反対側の）底辺と呼ばれ、他の２つの辺は頂辺及び底辺の間に備えられている。もしもワイヤレス機器１２が図１に示されるように横置きモード（ランドスケープモード）で見られる場合には、ワイヤレス機器１２の長辺はそれぞれ頂辺及び底辺とされてよい。もしもワイヤレス機器１２が図１に示されるように縦置きモード（ポートレイトモード）で見られる場合には、ワイヤレス機器１２の短辺はそれぞれ頂辺及び底辺とされてよい。
【００５１】
図１に示されているように、ユーザは、スタンド１０を、読書又は映画鑑賞又はその他の活動の目的で縦置きモードのワイヤレス機器１２を支持するために使用してよい。そのためには、ユーザは例示的なスタンド１０の頂部１６の支持部１８をスタンド１０の底部１４から離して引き上げて、スタンド１０の底部の部分３０を露出させる。スタンド１０の支持部１８を保持したまま、ユーザはワイヤレス機器１２の底辺の一部分を、スタンド１０の露出された底部の部分３０の上に配置してよい。この例において、ワイヤレス機器１２の底辺はスタンド１０の露出された底部の部分３０を中心として配置されるが、そうである必要は無い。その他の構成が可能である。この例においてはまた、ワイヤレス機器１２の底辺はスタンド１０の露出された底部の部分３０の外側の幅部（ヒンジ２２と平行である）に比較的近接して置かれている。例えば、もしもワイヤレス機器１２がスタンド１０に対してより垂直な位置に置かれることをユーザが所望する場合、他の実施形態においては上述の構成から変えてもよい。
【００５２】
ワイヤレス装置１２の例示的なスタンド１０に対しての配置の続きを以下に説明する。ワイヤレス機器１２の底辺をスタンド１０の露出された底部の部分３０上に配置した後、ユーザはワイヤレス機器１２の頂辺をスタンド１０の頂部１６の支持部１８に対して配置し得る。そうするために、ユーザはスタンド１０の頂部１６の支持部１８をスタンド１０の底部１４から離した状態で保持し続ける。その一方で、ユーザはワイヤレス機器１２の頂辺をスタンド１０の頂部１６の支持部１８に向けて弧を描いて移動させる。事実上、タブレットコンピュータ１２の頂辺はその底辺を軸として、スタンド１０の頂部１６の支持部１８に向けて回動する。ワイヤレス機器１２の頂辺がスタンド１０の支持部１８と接触したら、ユーザはスタンド１０の支持部１８及びワイヤレス機器１２の双方から手を離してよい。ワイヤレス機器１２はスタンド１０の頂部１６の支持部１８に寄りかかるととも支持部１８によって支持される。図１に示された例示的な実施形態においては、スタンド１０の露出された底部の部分３０と支持部１８との間に寄りかかっているワイヤレス機器１２の一部分は、これらのワイヤレス機器１２、支持部１８及び底部の部分３０で形成される直角三角形の斜辺を構成する。上述したように、図１において、露出された底部の部分３０と頂部１６の支持部１８との間の角度は約９０度である。
【００５３】
図１はまた、ワイヤレス機器１２が、例示的なスタンド１０の支持部１８がワイヤレス機器１２の背面中央部に軽く接触するように、スタンド１０に対して配置されている状態を示す。多様な要因、とりわけ、スタンド１０の支持部１８とスタンド１０の底部１４との間の角度、展示且つ／又は支持される物体の重量、サイズ、形状及びその他の特徴、展示且つ／又は支持される物体の底部の、スタンド１０の露出された底部の部分３０に対する位置などに基づいて、その他の実施形態においては上述の構成から変えてもよい。
【００５４】
ワイヤレス機器１２を例示的なスタンド１０から取り外すためには、ユーザは単に、ワイヤレス機器１２をスタンド１０上に配置するプロセスを逆の順序で行ってよい。ユーザは、ワイヤレス機器１２がスタンド１０の頂部１６の支持部１８から外れるように、ワイヤレス機器１２の頂辺をスタンド１０から離して移動させてよい。ユーザは次いで、ワイヤレス機器１２を、スタンド１０の露出された底部の部分３０から離して持ち上げてよい。その結果、スタンド１０の頂部１６の支持部１８は、スタンド１０の露出された底部の部分３０の上の閉位置へと戻るであろう。この実施形態においては、ワイヤレス機器１２を取り外す他のやり方が可能である。その他の実施形態においては、物体の取り外しについて本発明の実施形態と異なってよい。
【００５５】
[図２]
図２は、本発明の別の実施形態４０を示す。例示的なスタンド４０は、横置きモードにあるタブレットコンピュータ４２（シャドー部分として図示）を支持するものとして示されている。図１に関連して記載された例示的なスタンド１０と同様に、例示的なスタンド４０は、丸みが付けられた隅部を備えた略矩形の形状を有し、略同じサイズ、形状及び厚みを有する二つの要素によって形成されている。その二つの要素は、底部４４と頂部４６である。ここでもまた、これらの要素は別体である必要はなく、一体的に形成されてよい。スタンド４０がその閉位置にあるとき、頂部４６はスタンド４０の底部４４を覆う。
【００５６】
例示的なスタンド４０の頂部４６は、図２に示すように、二つの部分４８及び５０を有する。これら二つの部分は、支持部４８と取付部５０である。頂部４６の二つの部分（支持部４８及び取付部５０）は、頂部４６の材料における脆弱線（又は高可撓性の線）５１によって画成されたヒンジ５２によって分割されている。
【００５７】
図２は、例示的なスタンド４０の支持部４８と底部４４との間の角度が約９０度の、開位置にある例示的なスタンド４０を示す。支持部４８がスタンド４０の底部４４から離れて引き上げられると、底部４４の部分６０が現れる。この実施例４０において、現れた底部の部分６０は頂部４６の支持部４８と略同じサイズ及び形状を有する。
【００５８】
[図３及び図４]
図３及び図４は本発明の別の実施形態８０を示す。例示的なスタンド８０は、その閉位置にある状態が図３に示されており、その最も開いた状態が図４に示されている。先に記載した二つの実施形態と同様に、例示的なスタンド８０はクレジットカードサイズであり、丸みが付けられた隅部を備えた矩形の形状を有する。それゆえに、スタンド８０は使用されていないときに、財布又はハンドバックのスロットに容易に収納される。もちろん、その他の実施形態においては、サイズ、形状、構成などを変えてよい。
【００５９】
例示的なスタンド８０は、より多くの部品又は要素を有するという点において、前述の実施形態とは異なる。前述の実施形態と同様に、スタンド８０は略同じサイズ、形状及び厚みを有する底部８４及び頂部８５を有する。しかしながらスタンド８０は、前述の実施形態とは異なり、スタンド８０の頂部８５が頂部要素８６と止め部（ストップ）８７を含む。ストップ８７は、「端部（エッジ）」、「棚状の突起（梁部）」、「止め具（ストッパ）」又は「摘まみ部（タブ）」とも呼ばれるであろう。
【００６０】
具体的に、ストップ８７はスタンド８０の「展示端」の近くに位置付けられている。本文において用いられる「展示端」は、スタンド８０の短辺であって、その上に、展示される物体（対象物）が、スタンド８０を支持している表面に最も近づいて置かれるスタンド８０の短辺である。ストップ８７は、頂部８５の短辺（又は幅）と同じ幅を有するが、頂部８５の長辺（又は長さ）の約１０％のみの長さを有する。頂部要素８６は頂部８５の領域の残りの９０％を占める。図４と関連して下記にて説明されるように、この実施形態８０においてストップ８７は頂部８６とは別体の部品（要素）である。その他の実施形態においては上述の構成から変えてもよい。例えば、ある実施形態において、底部、頂部及びストップは一体に形成されてよい。
【００６１】
頂部要素８６は支持部９０、可撓性連結部９２及び取付部９４を含む。例示的なスタンド８０において、頂部要素８６は支持部９０、可撓性連結部９２及び取付部９４を含んで一体的に（単一の部品として）形成されている。
【００６２】
スタンド８０が閉じられているときには、支持部９０がストップ８７と隣接して配置される、これにより、支持部９０が、頂部要素８６のうち、頂部８５の展示端に最も近い部分となる。有利なことには、ストップ８７と支持部９０はスナップ嵌合又は摩擦嵌合により係合されてよく、これによって、支持部９０がストップ８７とのスナップ嵌合又は摩擦嵌合から取り外されない限りは、支持部９０は底部８４と隣接したまま（「閉状態」）である。
【００６３】
支持部９０は頂部要素８６（及びストップ８７）と同じ幅を有するが、頂部要素８６の長さの約４５％のみの長さを有する。その用語が暗示するように、頂部８５の支持部９０は、以下において図４に関連してより具体的に記載されるように、スタンド８０が展示目的で用いられる場合に展示される品物（アイテム）又は物体を支持する。スタンド８０が閉じられているときに、支持部９０はスタンド８０の底部８４の上方に位置付けられている。スタンド８０が開かれると、以下において更に記載されるように、支持部９０は底部８４から離れて移動される。換言すれば、支持部９０は底部８４に固定的に取り付けられていない。
【００６４】
頂部要素８６の支持部９０に隣接しているのは、可撓性連結部９２である。可撓性連結部９２は頂部要素８６（並びにストップ８７及び支持部９０）の幅と同じ幅を有しているが、頂部要素８６の長さの約２２％のみの長さを有する。頂部要素８６の支持部９０と同様に、可撓性連結部９２はスタンド８０の底部８４に取り付けられていない。
【００６５】
図３の実施形態において、可撓性連結部９２は頂部８５の材料に形成された、等間隔で配置された４つのスコア線（切り込み線、刻み込み線）９３ａ〜９３ｄを有する領域である。スコア線９３ａ〜９３ｄは、互いに対して及び略矩形の頂部８５の短辺に対して略平行に延びる。この４つのスコア線９３ａ〜９３ｄは可撓性連結部９２の３つの領域９５ａ〜９５ｃを定義する。各領域は頂部要素８６の幅と同じ幅を有するが、各領域は頂部要素８６の長さの約７％のみの長さを有する。
【００６６】
各スコア線９３ａ〜９３ｄは、頂部要素８６がスコア線の近辺において少量（幾分）湾曲することを可能とする。スコア線９３ａ〜９３ｄは、支持部９０が閉位置から、変化する開位置を経て、スタンド８０の最大開位置へと移動することを可能とする。上述されたように、支持部９０の閉位置は、スタンド８０の底部８４と平行であり底部８４の上に配置されている。スタンド８０を開位置、即ち支持位置へと動かすために、ユーザは頂部要素８６の支持部９０をスタンド８０の底部８４から引き離すであろう。ユーザは、頂部要素８６の支持部９０をスタンド８０の底部８４から離して引き上げることのできる任意のやり方で支持部９０を引っ張ってよい。ユーザが支持部９０をスタンド８０の底部８４から引き離す方向に引っ張り続けると、各スコア線９３ａ〜９３ｄは、支持部９０に最も近いスコア線９３ａから、幾分か湾曲し始める。スタンド８０を開位置へと動かす際に、ユーザは、頂部要素８６の支持部９０だけでなく、可撓性連結部９２の一部又は全体をスタンド８０の底部８４から引き離してよい。４つのスコア線９３ａ〜９３ｄによる効果が積み重なり、スタンド８０の頂部要素８６の取付部９４と支持部９０との間の角度（内角度）が約８０度である最大開位置が可能となる。その他の実施形態においては上述の構成から変えてもよい。有利なことには、例示的なスタンド８０の支持部９０と取付部９４との間の角度は、異なる物体、物体の異なる視野角や異なる向き（方位）などに対応するために可変とされてよい。
【００６７】
さらにスタンド８０について述べると、頂部要素８６の可撓性連結部９２の隣は取付部９４である。取付部９４は頂部要素８６（並びにストップ８７、支持部９０及び可撓性連結部９２）と同じ幅を有するが、頂部要素８６の長さの約３３％の長さのみを有する。その用語が暗示するように、頂部要素８６の取付部９４はスタンド８０の底部８４に取り付けられている。頂部要素８６の取付部９４は例示的なスタンド８０が開位置及び閉位置のいずれにあっても、スタンド８０の底部８４に取り付けられたままである。
【００６８】
上述されたように、例示的なスタンド８０は、少なくとも、より多くの部品又は要素を有するという点において、前述の実施形態１０及び４０とは異なる。直前の段落で既に提示された要素に加えて、例示的なスタンド８０は２層のライナー８８及び８９を含む。ライナー８８は、底部８４の内側部分のストップ８７によって覆われていない部分の上で該部分に取り付けられている。他方のライナー８９は、頂部要素８６の下に配置されて頂部要素８６に取り付けられている。それゆえに、ライナー８８及び８９はサイズ及び形状が概ね同じである。加えて、ライナー８８及び８９は厚みが概ね同じであり、その厚みは比較的薄い。各ライナー８８及び８９は一体であってもよいし、別体の部品が結合されたものであってもよい。
【００６９】
有利なことには、ライナー８８及び８９は幾分「粘着性」を有し且つ／又は滑り止め性を有する。ライナー８８及び８９の粘着性且つ／又は滑り止め性により、スタンド８０に支持且つ／又は展示される物体をより良く掴む事が可能となるであろう。ただし、ライナー８８及び８９はスタンド８０の底部８４からの支持部９０の持ち上げに干渉するほどの粘着性を有してはいない。ライナー８８及び８９の粘着性が、未使用時にスタンド８０が閉じたままとなることを可能としてもよい。
【００７０】
ライナー８８及び８９の他の有利な点は、ライナー８８及び８９の一方又は双方を装飾し得るということである。例えば、ライナー８８及び８９の一方又は双方を、スタンドの残りの要素と異なる色としてよく、且つ／又は互いに対して異なる色としてもよい。装飾は、色以外のもの、例えば材質感の模様（テクスチャ）、視覚要素（グラフィック）、写真、記号、表現作品等であってよい。装飾は広告、商標、ロゴ等を含んでよい。装飾はまた、情報を伝達するという点において、スタンド８０の飾り付け「以上」のものであってよい。情報の例として、スタンド８０の使用法、安全に関する情報、今日の名言、褒め言葉、詩、引用などが挙げられる。本発明のある実施形態において、ライナー８８及び８９の一方又は双方は、消去可能又は消去不可能なマークがユーザによって付けられるような材料で作られてよい。例えば、推奨はされないものの、ユーザはライナー８８且つ／又は８９に自分のパスワードを書くかもしれない。
【００７１】
図４に、例示的なスタンド８０が最も開いた位置で示されている。この位置では、頂部要素８６の支持部９０はスタンド８０の底部８４から引き離されている。支持部９０が底部８４から引き離される時には、可撓性連結部９２が、支持部９０が回動して底部８４から弧を描いて移動することを可能とする。図４に示されているように、可撓性連結部９２の、頂部要素８６の支持部９０に最も近い部分もまた、底部８４から離れて動き得る。図４に示されたスタンド８０の最も開いた位置において、支持部９０と取付部８４との間に成された内側角は約８０度である。
【００７２】
図４に示されたスタンド８０の開位置では、ライナー８８及び８９を見ることが出来る。上述されたように、ライナー８８はスタンド８０の底部８４の内部上面に設けられて取り付けられている。ライナー８９は頂部要素８６の内部下面に設けられて取り付けられている。
【００７３】
図４はまた、スタンド８０の底部８４とストップ８７との関係を示している。上述されたように、ストップ８７は底部８４の上に設けられたスタンド８０の「展示端」の上に備えられている。例示的なスタンド８０において、ストップ８７と底部８４は同じ材料を用いて一体的に（１つの部品によって）形成されている。
【００７４】
スタンド８０が使用されているときに、ストップ８７がその名の機能を発揮する。ユーザは支持部９０を底部８４から引き離すことによってスタンド８０を開いてよく、次いで展示且つ／又は支持されるべき物体を裏打ちライナー８８の上に、ただしストップ８７の内側に置いてよい。換言すれば、ストップ８７は、その上に物体の底部の縁又は先端が全体的又は部分的に置かれ得る出っ張り又はリップとして機能する。ストップ８７は、物体が静止される場所を与えることによって、スタンド８０による物体の支持を補助する。ストップ８７は、物体がスタンド８０の底部８４から滑り落ちることを「ストップ」する。
【００７５】
[図５Ａ及び図５Ｂ]
図５Ａ及び図５Ｂはワイヤレス機器１０２を支持している例示的なスタンド１００を示す写真である。図５Ａは縦置きモードの位置にあるワイヤレス機器１０２を支持している、開位置にある例示的なスタンド１００の側前面斜視図を示す写真である。図５Ｂは横置きモードの位置にあるワイヤレス機器１０２を支持している、開位置にある例示的なスタンド１００の正面図を示す写真である。
【００７６】
図５Ａは、スタンド１００の底部１０４の上に載置されたワイヤレス機器１０２の底部側を示しており、ワイヤレス機器１０２の残りの部分はその底部側から離れて後方にもたれかかっている。ワイヤレス機器１０２は、スタンド１００の、その開位置のうちの１つにある頂部１０６によって支持されている。スタンド１００の頂部１０６は、支持部１０８、可撓性連結部１１０、及び取付部１１２を含む。例示的なスタンド１００は、図３及び図４の実施形態８０に関連して前述されたストップ８７のようなストップを有してはいない。図５Ａ及び図５Ｂに示された例の両方において、ワイヤレス機器１０２の底部は、スタンド１００の「展示端」に対応する底部１０４の縁から幾分下がって位置付けられている。これは、底部１０４において、頂部が取り付けられていない縁である。それゆえに、ワイヤレス機器１０２の底部の手前において、底部１０４の小さな領域１１４を見ることができる。
【００７７】
図５Ａ及び図５Ｂに示された実施形態１００において、スタンド１００の、頂部１０６に取り付けられていない底部１０４（の部分）は、前述されたようなライナー１１４がその上に設けられている。ワイヤレス機器１０２は、ライナー１１４をスタンド１００と共に用いることによって、展示位置により良く保持され得る。
【００７８】
[図６]
図６は、本発明の別の実施形態１２０を示す。図示されたスタンド１２０はその閉位置にある。実施形態１２０は、図３及び図４に示された実施形態８０と、いくつかの例外を除いて、同様である。実施形態８０のように、スタンド１２０はその底部１２４に設けられたストッパ１２２を含む。しかしながら、スタンド１２０におけるストッパ１２２は、スタンド８０のストッパ８７とは異なった構成を有する。ストッパ１２２は、矩形の箱ではなく「水路（カナル）」のように見える。ストッパ１２２は「Ｕ」字状の断面を有する。カナル形状又はＵ字状のストッパ１２２は、スタンド１２０に用いられる材料の低減、そしてそれによってもたらされるスタンド１２０の製造コストの低減、加えてスタンド１２０の全体的な重量の低減という有利な点を有し得る。カナル形状又はＵ字状のストッパ１２２は、いくつかの実施形態において、ワイヤレス機器とともに使用されるペン型入力機器（スタイラス）（且つ／又はその他のアイテム）且つ／又はスタンド１２０に支持されるその他の物体を保持するために使用されてよい。いくつかの実施形態において、ストッパ１２２は直立した縁部（リップ）を含む（図７Ｂも参照のこと）。
【００７９】
例示的なスタンド１２０が前述された実施形態と異なる別の点は、スタンド１２０が充電器１２６を含むことである。この実施形態において、充電器１２６はスタンド１２０の付加的な要素である。充電器１２６はスタンド１２０の底部の下面に（取り外し可能又は取り外し不可能に）固定されてよい。充電器１２６はスタンド１２０の底部の長さ及び幅と概ね同じサイズの長さと幅を有する。充電器１２６は薄く且つ軽量である。その他の実施形態においては上述の構成から変えてもよい。例えば、本発明に従うスタンドとともに、市販されている充電器を用いてよい。そのような市販されている充電器の例として、所在地が郵便番号１００１１、ニューヨーク州、ニューヨーク市、４番ストリート、西１４丁目４７番地のトリプルＣ社によって販売されているパワーカード（登録商標）が挙げられる。類似の充電器を、本発明のその他の実施形態とともに用いてもよい。
【００８０】
図６には、充電器１２６を展示されている物体と接続するために使用し得るプラグ且つ／又はその他のコネクタは示されていない。いくつかの実施形態において、そのようなプラグ且つ／又はコネクタは、不要かもしれない。例えば、本発明に従う例示的なスタンドは、磁気共鳴の原理で作動するワイヤレス式の充電器のような、ワイヤレス式充電器と共に用いられてよい。ワイヤレス式の充電器の例として、所在地がニュージーランド、郵便番号１０１１、オークランド、フリーマンスベイ、カレッジヒル４３、４階であるパワーバイプロキシ社から購入可能なプロキシ−２Ｄ共鳴充電パッドが挙げられる。
【００８１】
その他の実施形態において、充電器はスタンドの底部（且つ／又はその他の要素）の一部として含まれてよい。換言すれば、これらのその他の実施形態における充電器は、その他のスタンドの底部（且つ／又はスタンドのその他の要素）の中に設けられてよい。
【００８２】
本文で用いられているように、「充電器」という用語が用いられている理由は、例示的なスタンドによって支持される物体がそれ自身の電池を有し得ると推定されるためである。一方で、本発明に従う例示的なスタンドは、支持される物体のための電池且つ／又は支持される物体に結合された電池のための追加の又は予備の電池を備えてよい。
【００８３】
[図７Ａ及び図７Ｂ]
図７Ａ及び図７Ｂは、最初に図６に関連して記載された例示的なスタンド１２０ではあるが、電池充電器１２６を有さないスタンド１２０の、頂部１２１及び底部１２４の断面の模式図である。
【００８４】
図７Ａに示された頂部１２１の長さは２．９３３インチ（約７．４５０ｃｍ）である。頂部１２１の厚さは０．０５５インチ（約０．１４０ｃｍ）である。頂部１２１は、頂部１２１の底部に接続されていない下面に設けられた１．９１６インチ（約４．８６７ｃｍ）のライナー１２８を含む。その他の実施形態は、頂部の長さ及び幅にわたって延びるライナー１３１を有してよい。頂部１２１はまた、４つのスコアマーク１３０ａ、１３０ｂ、１３０ｃ及び１３０ｄを含む。これらのマーク（スコアマーク）は各々が０．０８０インチ（約０．２０３ｃｍ）の幅を有する。これらのマークはその幅である０．０８０インチ（約０．２０３ｃｍ）よりも幾分長い距離で互いに対して離間して配置されている。この実施形態において、マーク１３０ａ、１３０ｂ、１３０ｃ及び１３０ｄはスタンド１２０の頂部１２１の概ね中央に設けられている。
【００８５】
図７Ｂは、底部１２２の長さがストッパ１２４を含めて３．３５０インチ（約８．５０９ｃｍ）であり、ストッパ１２４を含めずに３．０００インチ（約７．６２ｃｍ）であることを示している。底部１２２の厚みは、頂部１２１の厚みと同じく０．０５５インチ（約０．１４０ｃｍ）である。ストッパ１２４の壁部の高さは０．１５０インチ（約０．３８１ｃｍ）である。カナル形状のストッパ１２２の「Ｕ」字の底の厚みは、カナル部が形成されていない底部の厚みと同じ、即ち０．０５５インチ（約０．１４０ｃｍ）である。底部１２４は、底部１２４の、頂部１２１と結合されていない一部分の上面に設けられたライナー１３２を含む。
【００８６】
[例示的なパスカードの実施形態：図８]
上述された本発明の実施形態は、一般的に、上述された物体の展示／支持という１つの機能（ただし、電池且つ／又は充電器と共に用いられるものとして記載された実施形態を除く）を持つ独立型装置（スタンドアロン装置）として用いられてよい。しかしながら、本発明の代替的な実施形態は、物体を展示／支持するのみだけではなく、１つ又はそれより多くの付加的な機能を有してよい。
【００８７】
図８は、本発明に従うスタンド機能を含み、入場許可カード（パスカード）と共に使用され又はパスカードとして使用される本発明の実施形態の装置１４０の３つの図を示している。「パスカード」という用語は、本文において、本発明のスタンド機能と組み合わされ得るその他のカード又はバッジをも包含して用いられている。その他のカード又はバッジは、アクセス制御カード、従業員身分証明バッジ、データ、カード、入場許可カードなどを含むがそれらに限定されない。そのようなパスカードはパスカードを使用している人のデータを提供してもよく、又は提供しなくてもよい。
【００８８】
パスカードは多くの場合、ネックストラップ又はユーザが便利に着用又は持ち運びできるその他の方法で着用し得るように、一端に開口部を含んでいる。例示的な装置１４０において、開口部１４２は装置１４０の一端の付近に設けられている。開口部１４２は、装置１４０が開かれて物体のためのスタンドとして機能し得る端部とは反対側の（対向する）端部の近くを中心として配置されている。開口部１４２は、その長軸が装置１４０の端部と略平行である楕円形又は平らにされた円形である。開口部１４２のこれらの特徴の全て（又は選択された特徴）はその他の実施形態においては異なっていてよい。さらに、代替的な実施形態は、開口を含まなくてよく、又は一つより多くの開口部を含んでもよい。
【００８９】
図８は、装置１４０の頂部１４４及び底部１４６を示す実施形態を含む。頂部１４４はパスカード１４０が関連する事業又は催しの名称がマークされている。装置１４０の底部１４６には装置１４０のユーザに関する情報がマークされている。頂部１４４及び底部１４６は、その他の実施形態において、他のやり方で装飾を付されてよく、又はその他のもしくは付加的な情報を有しても良い。代替的に、ユーザは頂部１４４且つ／又は底部１４６に情報を追加してもよく、そのような追加された情報は消去可能もしくは除去可能であってよく、そうでなくてもよい。
【００９０】
図８はまた、従来のパスカード１４８と装置１４０との比較も示している。従来のパスカード１４８と装置１４０の双方は、観察者が装置１４０と装置１４８のそれぞれの相対的な厚みを比較できるように、略水平な位置で示されている。装置１４０は従来のパスカード１４８よりも幾分厚いだけである。装置１４０は（その全体又は一部が）、パスカードを作るために用いられる従来の材料（又は複数の材料）と同じ材料（又は同じ複数の材料）で作られてよい。
【００９１】
有利な点として、装置１４０のユーザは、単に従来のパスカード１４８として機能するよりも多くの機能を発揮する装置を有している。装置１４０は、ユーザの両手が解放された状態で操作することを可能とするような方法で、物体を支持／展示するために用いられてよい。
【００９２】
[クレジットカードの実施形態：図９Ａ及び図９Ｂ]
図９Ａ及び図９Ｂは、本発明のある実施形態における、クレジットカードの機能を含む装置１５０の２つの図をそれぞれ示す。「クレジットカード」という用語は、本文において、本発明のスタンド機能と組み合わされ得るその他の種類の装置も包含して用いられており、その他の種類の装置は、デビットカード、キャッシュカード、医療費用口座カードなどを含むがそれらに限定されない。装置１５０はクレジットカードと同じ材料で作られてよい。
【００９３】
図９Ａは従来のクレジットカードの裏面として機能する「下面」又は底部１５４を見せている実施形態１５０を示す。底部１５４は、従来のクレジットカードの裏面に存在し得るような磁気帯（「帯、ストライプ」とも呼ばれる）１５６を含む。磁気帯１５６はプラスチックフィルムと磁化された金属の微小粒子の混合物から作られる。磁化された金属の微小粒子によって、クレジットカードにおいて直接データを記憶し且つ変更することが可能となる。典型的には、磁気帯には３つの情報トラックが存在する。従来のクレジットカードの裏面に一般的に含まれるその他の情報は、図９Ａにおいて示されていない。しかしながら、そのようなその他の情報は、装置１５０などの実施形態に含まれてよい。
【００９４】
図９Ｂは、前述の実施形態１０、８０、９０及び１２０に関連して上述されたような物体を支持又は展示する目的で使用され得るように開位置にある実施形態１５０を示している。実施形態１５０の頂部１５２の部分１５３が底部１５４から引き離されている。もしも部分１５３がその閉位置に戻されると、観察者は、装置１５０の頂部１５２が、クレジットカードの「表面」に典型的に含まれる情報（図９Ｂには示されていない）を含むことが分かるであろう。例えば、装置１５０の頂部１５２は、ユーザの氏名、クレジットカード番号、有効期限、セキュリティ用のホログラフィなどを含んでよい。
【００９５】
本発明はまた、「非接触式クレジットカード」としての機能を含み得る装置（図９Ａ及び図９Ｂには示されていない）において具現化されてよい。この装置は、距離を置いて走査（スキャン）可能な無線ＩＣタグ（ＲＦＩＤ）チップを含んでよい。この装置は、クレジットカードの情報をラジオ波を介して読取機と交換し得る。
【００９６】
有利な点として、装置１５０のユーザは、単に従来のクレジットカードとしての機能よりも多くの機能を発揮する装置を有している。装置１５０は、ユーザの両手が解放された状態で操作することを可能とするような方法で、物体を支持／展示するために用いられてよい。
【００９７】
[フラッシュドライブの実施形態：図１０]
本発明は、フラッシュドライブと共に用いられてよく、又はフラッシュドライブを備えてよい。図１０は、本発明のある実施形態の、フラッシュドライブの機能を含む５つの実施例１６０ａ〜１６０ｅを示す。「フラッシュドライブ」という用語は、本文において、本発明のスタンド機能と組み合わされ得るその他の種類の装置も包含して用いられており、その他の種類の装置は、ジャンプドライブ、ＵＳＢフラッシュドライブ、即ち汎用シリアルバスドライブなどを含むがそれらに限定されない。フラッシュドライブはユニバーサルシリアルバス（ＵＳＢ）インターフェースが一体化されたフラッシュメモリを含むデータ記憶装置である。フラッシュドライブは、一般的に、取り外し可能且つ書換可能である。
【００９８】
実施例１６０ａ〜１６０ｅの各々は、その底部から見た斜視図として示されている。また、実施例１６０ａ〜１６０ｅの各々はそれぞれフラッシュドライブ１６２ａ〜１６２ｅを含んでおり、このうち、実施例１６０ａ〜１６２ｅのうちの他の例に対して、フラッシュドライブ１６２ａ及び１６２ｅは開位置にあり、又はフラッシュドライブ１６２ｂ〜１６２ｄは閉位置にある。フラッシュドライブ１６２ａ〜１６２eは開位置で使用される。
【００９９】
具体的に、各実施例１６０ａ〜１６０ｅは、上述された実施形態１０、８０、９０及び１２０とそれぞれ同様に構成されている。したがって、各実施例１６０ａ〜１６０ｅは略クレジットカードサイズであり、丸みが付けられた隅部を備えた略矩形の形状を有する。各実施例１６０ａ〜１６０ｅは二つの短辺を有し、そのうちの一方の短辺は各実施例１６０ａ〜１６０ｅが使用されるときに基端（ベース）として用いられ、他方の短辺は頂部の端部である。物体のためのスタンドとして用いられるときに、各実施例１６０ａ〜１６０ｅはその基端部で立てられる。各実施例１６０ａ〜１６０ｅの頂部の一部分（図１０には示されていない）は、（先に、実施形態１０、８０、９０及び１２０と関連して記載されたように）各実施例１６０ａ〜１６０ｅの支持部として働くために弧を描いてベースの近傍から離されて移動される。
【０１００】
実施例１６０ａ〜１６０ｅに示された実施形態において、フラッシュドライブ１６２ａ〜１６２ｅは、実施例１６０ａ〜１６０ｅそれぞれの基部の略中心部に取り外し可能に嵌め込み可能に形成されている。図１０におけるフラッシュドライブ１６２ａ〜１６２ｅは全て略矩形であるが、比較的薄い（実施例１６０ａ〜１６０ｅの厚みよりも幾分薄い）。フラッシュドライブ１６２ａ〜１６２ｅの矩形の形状を受け入れるために、実施例１６０ａ〜１６０ｅそれぞれの基部には、フラッシュドライブ１６２ａ〜１６２ｅよりもわずかに大きいサイズを有する矩形の開口部が形成されている。これらの実施例１６０ａ〜１６０ｅにおいて、矩形の開口部は実施例１６０ａ〜１６０ｅの長辺に平行な長辺を有している。フラッシュドライブ１６２ａ〜１６２ｅは、実施例１６０ａ〜１６０ｅに嵌め込まれてよく、又は他の方法で実施例１６０ａ〜１６０ｅの内部に保持されてよい。フラッシュドライブ１６２ａ〜１６２ｅはユーザの指（もしくは複数の指）、親指（もしくは複数の親指）、又は他の方法による引っ張り動作によってそれぞれが対応する開口部から引き出されてよい。フラッシュドライブ１６２ａ〜１６２ｅが実施例１６０ａ〜１６０ｅとそれぞれ接触しないように、フラッシュドライブ１６２ａ〜１６２ｅはそれぞれ実施例１６０ａ〜１６０ｅの外へ完全に引き抜かれてよい。
【０１０１】
代替的な実施例（図示されていないが、実施例１６０ａ〜１６０ｅと類似点を有する）において、二つの棒状部材がフラッシュドライブのための矩形の開口部の基端において垂直方向に掛けられている。この二つの平行な棒状部材は、空間を介在させて互いに対して上方及び下方に位置付けられている。この二つの平行な棒状部材は、代替的な実施例の短辺に対して略平行である。この二つの平行な棒状部材は、互いに対して（厚み方向に）、フラッシュドライブが矩形の開口部内及び棒状部材の間に入り込めるのに十分に離間している。これらの棒状部材はフラッシュドライブを挿入するためのガイドをもたらしてよい。
【０１０２】
別の代替的な実施例（図示されていない）は、フラッシュドライブの完全な引き出しを止めるための特徴を含んでよい。この特徴によって、フラッシュドライブがその意図された目的のために使われ得るようにフラッシュドライブの十分な部分が取り出されたときに、フラッシュドライブの引き出しを止めてよい。このように、フラッシュドライブが実施例から完全に分離されることを防止する特徴を用いる事の有利な点として、もしもフラッシュドライブが実施例から分離されるのではなくむしろ依然として取り付けられているならば、ユーザによるフラッシュドライブの紛失又は置き場所を誤ることは発生し難くなることが挙げられる。実施例とフラッシュドライブを組み合わせることによって、フラッシュドライブ単体よりも大きく、より見過ごしにくい物体がもたらされる。
【０１０３】
フラッシュドライブ１６２ａ〜１６２ｅの長さを受け入れるために、実施例１６０ａ〜１６０ｅは、それぞれの頂部の頂部部品（頂部要素）のサイズという点において、実施形態１０、８０、９０及び１２０と異なる構成を有してよい。頂部部品又は頂部の部分は、実施例１６０ａ〜１６０ｅの頂部のうち、実施例１６０ａ〜１６０ｅの底部から、物体を支持又は展示するために支持位置へと「引きはがされる」又は持ち上げられる部分である。実施例１６０ａ〜１６０ｅの頂部部品は、もしも実施例１６０ａ〜１６０ｅがクレジットカードサイズであるならば、他の実施形態１０、８０、９０及び１２０と比べて長さが短くてよい。頂部部品はフラッシュドライブ１６２ａ〜１６２ｅのそれぞれの長さを収容するようにより小さく形成されている。代替的には、フラッシュドライブ１６２ａ〜１６２ｅはそれぞれ実施例１６０ａ〜１６０ｅの基部とは反対側、すなわち、フラッシュドライブ１６２ａ〜１６２ｅは、上部（基部とは反対側の短辺）に位置付けられてよい。
【０１０４】
別の代替例として、実施例１６０ａ〜１６０ｅの実施形態は、フラッシュドライブを収容できる程度の厚みを有して構成されてよいが、その頂部部品は他の実施形態１０、８０、９０及び１２０と同じ長さを有してよい（又は、もしも代替的な実施形態がクレジットカード以外のサイズを有するように形成されている場合には、他の実施形態１０、８０、９０及び１２０と同じ割合の長さを有してよい）。実施例１６０ａ〜１６０ｅの、この代替的な実施形態において、フラッシュドライブのための開口部は実施例１６０ａ〜１６０ｅのくり貫き部（中抜き部）であってよい。換言すれば、フラッシュドライブが使用されていないときには、フラッシュドライブは代替的な実施例１６０ａ〜１６０ｅの内部に完全に収容されてよい。
【０１０５】
さらに別の設計変更として、実施例１６０ａ〜１６０ｅにおけるフラッシュドライブのための開口部は、フラッシュドライブの一方の表面が見えるようにする一方で、他方の表面を見えないようにしてよい。フラッシュドライブは、この設計が変更された実施例１６０ａ〜１６０ｅの実施形態の、頂部から見えるよりもむしろ、底部から見えるようにしてよい。頂部は何らの開口部も有さず完結されており、この頂部の支持部は、フラッシュドライブには関係なくいかなるサイズをも有することが可能となる。
【０１０６】
さらに、図１０において、実施例１６０ａ〜１６０ｅは本発明の実施形態１０、８０、９０及び１２０に関して記載された又は可能な特徴を示している。実施例１６０ａ〜１６０ｅの各々には企業の名前が付されている。換言すれば、実施例１６０ａ〜１６０ｅはそれぞれが企業の広告宣伝を行っている。このように、有利なことには、実施例１６０ａ〜１６０ｅは三種の機能をもたらす。すなわち、（１）ユーザにハンズフリーでの操作を可能とする物体用スタンドとしての機能、（２）フラッシュドライブ用の筐体としての機能、及び（３）広告用媒体としての機能である。本発明のその他の実施形態は、本文において記載された一つ又はそれより多くの他の機能及び特徴を、一つ又はそれより多くの方法で組み合わせてよい。
【０１０７】
[その他]
前述の実施形態は、単一の物体を支持且つ／又は展示するものとして記載されてきた。これらの実施形態は、実施形態のサイズ及び物体のサイズに基づいて、一つより多くの物体を支持且つ／又は展示してもよい。その他の実施形態は単一の物体のみを支持／展示するために限定されてよく、又は一つより多くの物体を支持／展示するために構成されてよい。
【０１０８】
色、パターン、装飾、テクスチャ等が、本発明のある部分を他の部分と区別するために用いられてよい。例えば、例示的なスタンド１０の頂部１６は、スタンド１０の底部１４とは異なった色を有してよい。色の相違は、スタンド１０を開く際の補助として働くであろう。例えば、スタンド１０が一色のみであると仮定する。スタンド１０が相対的に薄いことを考慮すると、もしも頂部が底部から容易に区別しにくいとしたら、スタンド１０を開くことは幾分難しいかもしれない。頭部と頂部がそれぞれ異なった色を有することで、ユーザは二色のスタンドの頂部を底部から容易に引っぱることが可能になるであろう。
【０１０９】
[結論]
本発明の例示的な実施形態は、本発明の原理及びその具体的な適用を説明することによって、様々な実施形態及び様々な変形例を含む本発明を当業者が意図した特定の用途に好適に利用することを可能にするために、選択され上記において記載された。本文に記載の実施例は本発明を限定することを意図していない。例えば、本文における数多くの例は、ワイヤレス機器と共に実施形態を用いることを言及している。それ以外の種類の装置、機器、アイテム、方法且つ／又はシステムと本発明を適切に用い得る。その他の実施形態が、当業者にとって示唆されるであろう。それゆえに、本発明の範囲は下記の請求項の範囲のみによって限定されるものである。
【図１】
2017515185.tif 000003
【図２】
2017515185.tif 000004
【図３−４】
2017515185.tif 000005
【図５Ａ】
2017515185.tif 000006
【図５Ｂ】
2017515185.tif 000007
【図６】
2017515185.tif 000008
【図７Ａ】
2017515185.tif 000009
【図７Ｂ】
2017515185.tif 000010
【図８】
2017515185.tif 000011
【図９Ａ−９Ｂ】
2017515185.tif 000012
【図１０】
2017515185.tif 000013
【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
機器用のスタンドであって、
上側を有する略矩形の底部を備え、
前記底部は略矩形を有し前記底部の前記上側の短辺に沿って配置されたストッパを除いて略平坦であり、
前記ストッパは前記底部の前記短辺であって、前記ストッパが該短辺に沿って配置されている前記短辺の長さと略同一の長さを有し、
前記ストッパは該ストッパの長さよりも小さい幅を有し、
前記ストッパは少なくとも前記底部と頂部との組合せと同じ厚さを有し、
前記底部の前記上側の少なくとも一部において、前記頂部の折り曲げラインの下側にあり且つ該折り曲げラインと略平行な前記底部の前記上側上のラインと前記ストッパとの間に配置された第１の位置決め材料部を更に備え、
前記頂部は略矩形且つ平坦であり、前記ストッパによって覆われていない前記底部の前記上側と略同一の寸法であり、前記頂部が閉位置にある時には前記ストッパに覆われていない前記底部の前記上側の上に配置されており、
前記頂部は上側と下側を有し、
前記頂部の前記下側の少なくとも一部において、前記頂部の前記ストッパに隣接する第１短辺と、前記頂部の前記上側上の前記折り曲げラインの下側にあり且つ該折り曲げラインと略平行な前記頂部の前記下側上のラインとの間に配置された第２の位置決め材料部を更に備え、
前記頂部の前記下側は、前記頂部の第１短辺とは反対側の第２短辺と、前記頂部の前記上側上の前記折り曲げラインの下側にあり且つ該折り曲げラインと略平行な前記頂部の前記下側上のラインとの間で前記底部の前記上側に結合されており、
前記折り曲げラインは、前記頂部の結合されていない部分の少なくとも一部が前記底部の上の閉位置から離れて開位置へと選択的に移動可能なように、且つ前記頂部が開位置にある時に前記頂部の結合されていない部分の前記一部が前記折り曲げラインに沿って曲がって前記頂部の前記下側上の第２の位置決め材料部の少なくとも一部を露出するように、前記頂部の第１短辺と第２短辺との間に第１短辺及び第２短辺と略平行に前記頂部の前記上側に設けられており、
前記機器が、当該機器の一部が前記底部の前記上側の第１の位置決め材料部の一部の上に配置され、該機器の他の部分が開位置にある前記頂部の結合されていない部分の前記下側上の第２の位置決め材料部の一部に立てかけられて、前記底部と開位置にある前記頂部の結合されていない部分との間に配置され得る機器用のスタンド。
【請求項２】
前記ストッパと前記底部とが一体に形成されている請求項１に記載のスタンド。
【請求項３】
前記頂部が閉位置にある時に、前記頂部と、前記ストッパを有する前記底部とが略平坦な矩形を形成する請求項１又は２に記載のスタンド。
【請求項４】
前記頂部と、前記ストッパを有する前記底部とにより形成された前記略平坦な矩形はおよそクレジットカードサイズである請求項３に記載のスタンド。
【請求項５】
前記折り曲げラインに隣接しており且つ前記折り曲げラインと平行な、前記頂部の前記上側に設けられた第２折り曲げラインであって、前記頂部の結合されていない部分の前記一部が前記折り曲げラインと第２折り曲げラインに沿って曲がり開位置にある前記頂部の前記下側上の第２の位置決め材料部の少なくとも一部を露出するように、前記折り曲げラインよりも前記頂部の第１短辺により近接して配置された第２折り曲げラインを更に備える請求項１〜４のいずれか一項に記載のスタンド。
【請求項６】
第２折り曲げラインに隣接しており且つ第２折り曲げラインと平行な、前記頂部の前記上側に設けられた第３折り曲げラインであって、前記頂部の結合されていない部分の前記一部前記折り曲げライン、第２折り曲げライン、第３折り曲げラインに沿って曲がり開位置にある前記頂部の前記下側上の第２の位置決め材料部の少なくとも一部を露出するように、第２折り曲げラインよりも前記頂部の第１短辺により近接して配置された第３折り曲げラインを更に備える請求項５に記載のスタンド。
【請求項７】
第３折り曲げラインに隣接しており且つ第３折り曲げラインと平行な、前記頂部の前記上側に設けられた第４折り曲げラインであって、前記頂部の結合されていない部分の前記一部が前記折り曲げライン、第２折り曲げライン、第３折り曲げライン、第４折り曲げラインに沿って曲がり開位置にある前記頂部の前記下側上の第２の位置決め材料部の少なくとも一部を露出するように、第３折り曲げラインよりも前記頂部の第１短辺により近接して配置された第４折り曲げラインを更に備える請求項６に記載のスタンド。
【請求項８】
物体を支持する装置であって、
上側を有する底部と、
前記底部の上側の上に置かれた頂部と、
前記底部に結合された前記頂部の第１部分と、
前記頂部の第１部分に隣接し、前記底部に結合されていない前記頂部の第２部分とを備え、
前記頂部の第２部分は、前記頂部の第２部分を、前記底部の上側上から、前記底部に対して０°より大きく１８０°より小さい角度を有する選択的に可変な位置へと持ち上げ得るように、前記頂部の第１部分に近接した可撓性連結部を有し、
前記物体の一部は前記底部に配置され得て、前記底部からの滑り落ちが抑制され、前記物体の他の部分は前記頂部の第２部分が前記選択的に可変な位置にある時に前記頂部の第２部分に立てかけられ得て、
前記可撓性連結部は、前記頂部の第２部分の上側且つ第１部分の近傍に、前記頂部の第２部分の折り曲げラインを備え、
前記折り曲げラインは前記頂部の第２部分が前記頂部の第１部分の近傍にて曲がることを可能とし、
前記可撓性連結部は、第２部分の上側に、前記折り曲げラインに近接し且つ前記折り曲げラインと略平行な前記頂部の第２部分の第２折り曲げラインを備える装置。
【請求項９】
前記底部は、前記頂部の第２部分に最も近い端部上に、前記物体の一部に接触して前記物体の前記底部からの滑り落ちを防ぐように構成されたストップを備える請求項８に記載の装置。
【請求項１０】
前記底部は前記物体が充電可能である場合に前記物体にエネルギーを充たすためのプラグを有する充電器を備える請求項８又は９に記載の装置。
【請求項１１】
データ記憶装置を更に備える請求項８又は９に記載の装置。
【請求項１２】
前記データ記憶装置は、汎用シリアルバス（ＵＳＢ）フラッシュドライブを備える請求項１１に記載の装置。
【請求項１３】
ワイヤレス機器を直立位置に保持する装置であって、
ベースであって、該ベースの頂部にフラップを有するベースを備え、
前記フラップの第１部分は前記ベースへの連結部を備え、前記フラップの第２部分は前記ベースに結合されておらず、
前記フラップの第２部分は、前記フラップの第２部分を前記フラップの第１部分回りに回動させて前記フラップの第２部分が前記ベースに対して１８０°より小さく０°より大きい角度を形成するように、前記ベースから離れた開位置に選択的に移動可能であり、
前記フラップの前記ベースへの連結部の近傍において前記フラップに曲げをもたらすための、前記フラップの上部の前記フラップの前記ベースへの前記連結部の近傍に該連結部に平行に設けられた第１折り曲げラインを更に備え、
前記フラップの上部の、第１折り曲げラインから概して引き離され、第１折り曲げラインと平行に、且つ前記フラップの前記ベースへの連結部から第１折り曲げラインよりも遠くに設けられた第２折り曲げラインを更に備え
前記ワイヤレス機器の一部を前記ベースに配置し、前記ワイヤレス機器の他部を開位置にある前記フラップに立てかけて前記ワイヤレス機器を直立位置に支持する装置。
【請求項１４】
前記フラップの上部の、第２折り曲げラインから概して引き離され、第２折り曲げラインと平行に、且つ前記フラップの前記ベースへの連結部から第２折り曲げラインよりも遠くに設けられた第３折り曲げラインを更に備える請求項１３に記載の装置。
【請求項１５】
前記フラップの上部の、第３折り曲げラインから概して引き離され、第３折り曲げラインと平行に、且つ前記フラップの前記ベースへの連結部から第３折り曲げラインよりも遠くに設けられた第４折り曲げラインを更に備える請求項１４に記載の装置。
【手続補正２】
【補正対象書類名】明細書
【補正対象項目名】００３１
【補正方法】変更
【補正の内容】
【００３１】
【図１】図１は、携帯電話などのワイヤレス機器と共に使用されている、本発明の例示的な実施形態の正面斜視図である。
【図２】図２は、タブレットなどのワイヤレス機器と共に使用されている、本発明の例示的な実施形態の背面斜視図である。
【図３】図３は、閉位置にある、本発明の例示的な実施形態の側面斜視図である。
【図４】図４は、開位置にある、本発明の例示的な実施形態の前面斜視図である。
【図５】図５Ａは、垂直位置にある携帯デバイスと共に使用されている、本発明の例示的な実施形態の前側面斜視図を含む図面である。図５Ｂは、水平位置にある携帯デバイスと共に使用されている、本発明の例示的な実施形態の正面図を含む図面である。
【図６】図６は、閉位置にある、本発明の例示的な実施形態を示す前面斜視図である。
【図７】図７Ａは、閉位置にある、本発明の例示的な実施形態を示す側面図である。図７Ｂは、閉位置にある、本発明の例示的な実施形態を示す側面図である。
【図８】図８は、バッジと共に使用されている、本発明の例示的な実施形態を示す。
【図９】図９Ａは、閉位置にあるとともに装飾を付された、本発明の例示的な実施形態を示す。図９Ｂは、閉位置にある、図９Ａの例示的な実施形態を示す。
【図１０】図１０は、本発明の例示的な実施形態を示す。
【手続補正３】
【補正対象書類名】明細書
【補正対象項目名】００７５
【補正方法】変更
【補正の内容】
【００７５】
[図５Ａ及び図５Ｂ]
図５Ａ及び図５Ｂはワイヤレス機器１０２を支持している例示的なスタンド１００を示す図面である。図５Ａは縦置きモードの位置にあるワイヤレス機器１０２を支持している、開位置にある例示的なスタンド１００の側前面斜視図を示す図面である。図５Ｂは横置きモードの位置にあるワイヤレス機器１０２を支持している、開位置にある例示的なスタンド１００の正面図を示す図面である。
【手続補正４】
【補正対象書類名】明細書
【補正対象項目名】００８９
【補正方法】変更
【補正の内容】
【００８９】
図８は、装置１４０の頂部１４４及び底部１４６を示す実施形態を含む。頂部１４４にはパスカード１４０が関連する事業又は催しの名称がマークされていてもよい。装置１４０の底部１４６には装置１４０のユーザに関する情報がマークされていてもよい。頂部１４４及び底部１４６は、その他の実施形態において、他のやり方で装飾を付されてよく、又はその他のもしくは付加的な情報を有しても良い。代替的に、ユーザは頂部１４４且つ／又は底部１４６に情報を追加してもよく、そのような追加された情報は消去可能もしくは除去可能であってよく、そうでなくてもよい。
【手続補正５】
【補正対象書類名】明細書
【補正対象項目名】０１０６
【補正方法】変更
【補正の内容】
【０１０６】
さらに、図１０において、実施例１６０ａ〜１６０ｅは本発明の実施形態１０、８０、９０及び１２０に関して記載された又は可能な特徴を示している。実施例１６０ａ〜１６０ｅの各々には企業の名前が付されていてもよい。換言すれば、実施例１６０ａ〜１６０ｅはそれぞれが企業の広告宣伝を行っていてもよい。このように、有利なことには、実施例１６０ａ〜１６０ｅは三種の機能をもたらす。すなわち、（１）ユーザにハンズフリーでの操作を可能とする物体用スタンドとしての機能、（２）フラッシュドライブ用の筐体としての機能、及び（３）広告用媒体としての機能である。本発明のその他の実施形態は、本文において記載された一つ又はそれより多くの他の機能及び特徴を、一つ又はそれより多くの方法で組み合わせてよい。
【手続補正６】
【補正対象書類名】図面
【補正対象項目名】図１
【補正方法】変更
【補正の内容】
【図１】
2017515185.tif 000014
【手続補正７】
【補正対象書類名】図面
【補正対象項目名】図２
【補正方法】変更
【補正の内容】
【図２】
2017515185.tif 000015
【手続補正８】
【補正対象書類名】図面
【補正対象項目名】図３
【補正方法】変更
【補正の内容】
【図３】
2017515185.tif 000016
【手続補正９】
【補正対象書類名】図面
【補正対象項目名】図４
【補正方法】変更
【補正の内容】
【図４】
2017515185.tif 000017
【手続補正１０】
【補正対象書類名】図面
【補正対象項目名】図５Ａ
【補正方法】変更
【補正の内容】
【図５Ａ】
2017515185.tif 000018
【手続補正１１】
【補正対象書類名】図面
【補正対象項目名】図５Ｂ
【補正方法】変更
【補正の内容】
【図５Ｂ】
2017515185.tif 000019
【手続補正１２】
【補正対象書類名】図面
【補正対象項目名】図６
【補正方法】変更
【補正の内容】
【図６】
2017515185.tif 000020
【手続補正１３】
【補正対象書類名】図面
【補正対象項目名】図７Ａ
【補正方法】変更
【補正の内容】
【図７Ａ】
2017515185.tif 000021
【手続補正１４】
【補正対象書類名】図面
【補正対象項目名】図７Ｂ
【補正方法】変更
【補正の内容】
【図７Ｂ】
2017515185.tif 000022
【手続補正１５】
【補正対象書類名】図面
【補正対象項目名】図８
【補正方法】変更
【補正の内容】
【図８】
2017515185.tif 000023
【手続補正１６】
【補正対象書類名】図面
【補正対象項目名】図９Ａ
【補正方法】変更
【補正の内容】
【図９Ａ】
2017515185.tif 000024
【手続補正１７】
【補正対象書類名】図面
【補正対象項目名】図９Ｂ
【補正方法】変更
【補正の内容】
【図９Ｂ】
2017515185.tif 000025
【手続補正１８】
【補正対象書類名】図面
【補正対象項目名】図１０
【補正方法】変更
【補正の内容】
【図１０】
2017515185.tif 000026
【手続補正書】
【提出日】平成28年10月31日(2016.10.31)
【手続補正１】
【補正対象書類名】手続補正書
【補正対象項目名】手続補正６
【補正方法】変更
【補正の内容】
【手続補正６】
【補正対象書類名】図面
【補正対象項目名】全図
【補正方法】変更
【補正の内容】
【図１】
2017515185.tif 000027
【図２】
2017515185.tif 000028
【図３】
2017515185.tif 000029
【図４】
2017515185.tif 000030
【図５Ａ】
2017515185.tif 000031
【図５Ｂ】
2017515185.tif 000032
【図６】
2017515185.tif 000033
【図７Ａ】
2017515185.tif 000034
【図７Ｂ】
2017515185.tif 000035
【図８】
2017515185.tif 000036
【図９Ａ】
2017515185.tif 000037
【図９Ｂ】
2017515185.tif 000038
【図１０】
2017515185.tif 000039
【手続補正２】
【補正対象書類名】手続補正書
【補正対象項目名】手続補正７
【補正方法】削除
【補正の内容】
【手続補正３】
【補正対象書類名】手続補正書
【補正対象項目名】手続補正８
【補正方法】削除
【補正の内容】
【手続補正４】
【補正対象書類名】手続補正書
【補正対象項目名】手続補正９
【補正方法】削除
【補正の内容】
【手続補正５】
【補正対象書類名】手続補正書
【補正対象項目名】手続補正１０
【補正方法】削除
【補正の内容】
【手続補正６】
【補正対象書類名】手続補正書
【補正対象項目名】手続補正１１
【補正方法】削除
【補正の内容】
【手続補正７】
【補正対象書類名】手続補正書
【補正対象項目名】手続補正１２
【補正方法】削除
【補正の内容】
【手続補正８】
【補正対象書類名】手続補正書
【補正対象項目名】手続補正１３
【補正方法】削除
【補正の内容】
【手続補正９】
【補正対象書類名】手続補正書
【補正対象項目名】手続補正１４
【補正方法】削除
【補正の内容】
【手続補正１０】
【補正対象書類名】手続補正書
【補正対象項目名】手続補正１５
【補正方法】削除
【補正の内容】
【手続補正１１】
【補正対象書類名】手続補正書
【補正対象項目名】手続補正１６
【補正方法】削除
【補正の内容】
【手続補正１２】
【補正対象書類名】手続補正書
【補正対象項目名】手続補正１７
【補正方法】削除
【補正の内容】
【手続補正１３】
【補正対象書類名】手続補正書
【補正対象項目名】手続補正１８
【補正方法】削除
【補正の内容】
【手続補正書】
【提出日】平成29年3月2日(2017.3.2)
【手続補正１】
【補正対象書類名】特許請求の範囲
【補正対象項目名】請求項８
【補正方法】変更
【補正の内容】
【請求項８】
物体を支持する装置であって、
上側を有する底部と、
前記底部の上側の上に置かれた頂部と、
前記底部に結合された前記頂部の第１部分と、
前記頂部の第１部分に隣接し、前記底部に結合されていない前記頂部の第２部分とを備え、
前記頂部の第２部分は、前記頂部の第２部分を、前記底部の上側上から、前記底部に対して異なる角度を有する複数の開位置へと持ち上げ得るように、前記頂部の第１部分に近接した可撓性連結部を有し、
前記物体の一部は前記底部に配置され得て、前記底部からの滑り落ちが抑制され、前記物体の他の部分は前記頂部の第２部分が前記複数の開位置の一つにある時に前記頂部の第２部分に立てかけられ得て、
前記可撓性連結部は、前記頂部の第２部分の上側且つ第１部分の近傍に、前記頂部の第２部分の折り曲げラインを備え、
前記折り曲げラインは前記頂部の第２部分が前記頂部の第１部分の近傍にて曲がることを可能とし、
前記可撓性連結部は、第２部分の上側に、前記折り曲げラインに近接し且つ前記折り曲げラインと略平行な前記頂部の第２部分の第２折り曲げラインを備える装置。
【手続補正２】
【補正対象書類名】特許請求の範囲
【補正対象項目名】請求項１３
【補正方法】変更
【補正の内容】
【請求項１３】
ワイヤレス機器を直立位置に保持する装置であって、
ベースであって、該ベースの頂部にフラップを有するベースを備え、
前記フラップの第１部分は前記ベースへの連結部を備え、前記フラップの第２部分は前記ベースに結合されておらず、
前記フラップの第２部分は、前記フラップの第２部分を前記フラップの第１部分回りに回動させて前記フラップの第２部分が前記ベースに対して異なる角度を形成するように、前記ベースから離れた複数の開位置に移動可能であり、
前記フラップの前記ベースへの連結部の近傍において前記フラップに曲げをもたらすための、前記フラップの上部の前記フラップの前記ベースへの前記連結部の近傍に該連結部に平行に設けられた第１折り曲げラインを更に備え、
前記フラップの上部の、第１折り曲げラインから概して引き離され、第１折り曲げラインと平行に、且つ前記フラップの前記ベースへの連結部から第１折り曲げラインよりも遠くに設けられた第２折り曲げラインを更に備え
前記ワイヤレス機器の一部を前記ベースに配置し、前記ワイヤレス機器の他部を前記複数の開位置の一つにある前記フラップに立てかけて前記ワイヤレス機器を直立位置に支持する装置。
【国際調査報告】
2017515185.tif 000040